(57)【要約】  【課題】羽根駆動用のモータを取り付けている地板が厚くても、モータ取付部の光軸方向の寸法が大きくならず、しかも、羽根の作動が好適に行えるようにしたカメラ用羽根駆動装置を提供すること。  【解決手段】第１地板１の羽根室外の面に取り付けられているモータは、その第２固定子枠４の一部を、第１地板１の羽根室側の面まで、第１地板１の開口部１ｂに挿入しており、第２固定子枠４に形成されたレール状の突条４ｂ，４ｃを羽根室内に臨ませている。また、回転子９と一体の出力ピン９ｄ，９ｅも、開口部１ｂから羽根室内に臨ませている。第１地板１の羽根室側の面にも、突条が設けられているし、第２地板２の羽根室側の面にも、突条２ｄ，２ｅをはじめとする突条が設けられており、２枚の絞り羽根１０，１１は、出力ピン９ｄ，９ｅに駆動され、各々の突条の間でスムーズに作動するようになっている。【選択図】  図１
2006235058.tif 000002
【特許請求の範囲】
【請求項１】
撮影光路用開口部の近傍位置にモータ設置用開口部を有している第１地板と、前記第１地板との間に羽根室を構成している第２地板と、前記第１地板の羽根室外の面に取り付けられていて固定子枠の一部を略前記第１地板の羽根室側の面まで前記モータ設置用開口部に挿入しており回転子と一体的に所定の角度範囲で往復回転する少なくとも一つの出力ピンと該固定子枠に形成された所定数の突条とを羽根室内に臨ませているモータと、前記羽根室内に配置されていて前記出力ピンに連結されており前記回転子が回転したとき前記モータの突条に摺接して撮影光路用開口部から退いた位置と進入した位置との間で往復作動させられる少なくとも１枚の羽根部材と、を備えていることを特徴とするカメラ用羽根駆動装置。
【請求項２】
前記第１地板の羽根室側の面にも所定数の突条が形成されていて、その突条と対向する前記第２地板の羽根室側の面にも所定数の突条が形成されていると共に前記モータ設置用開口部と対向する面にも所定数の突条が形成されていることを特徴とする請求項１に記載のカメラ用羽根駆動装置。
【請求項３】
前記羽根部材は、前記出力ピンによって略直線的に作動させられ、前記各突条は、その作動方向に沿って略直線的に形成されているようにしたことを特徴とする請求項１又は２に記載のカメラ用羽根駆動装置。
【請求項４】
前記羽根部材は、前記出力ピンによって回転させられ、前記各突条は前記羽根部材の回転軸を中心にした円弧状に形成されていることを特徴とする請求項１乃至３のいずれかに記載のカメラ用羽根駆動装置。
【請求項５】
前記モータは、二つの固定子枠によって永久磁石製の回転子を軸受けし、それらの軸受け部を囲むようにコイルを巻回しており、それらの固定子枠の一方を、前記第１地板に取り付けると共に前記モータ設置用開口部に挿入していることを特徴とする請求項１乃至４のいずれかに記載のカメラ用羽根駆動装置。
【発明の詳細な説明】
【技術分野】
【０００１】
本発明は、シャッタ羽根や絞り羽根などの羽根部材を往復作動させるカメラ用羽根駆動装置に関する。
【背景技術】
【０００２】
携帯電話を含む情報端末機器用のカメラや、コンパクトカメラに採用されている小型のシャッタ装置，絞り装置，フィルタ装置は、各々羽根部材を有していて、それらをモータの回転子と一体の出力ピンによって往復作動させるように構成されている。そして、シャッタ装置の場合には、下記の特許文献１に記載されているように、シャッタ羽根を２枚として、それらを同時に相反する方向へ往復回転させるようにしたものが多いが、下記の特許文献２に記載されているように、それらを同時に相反する方向へ直線的に往復作動させるように構成したものもある。また、レンズ口径の極めて小さいカメラに採用されるシャッタ装置の場合には、下記の特許文献３に記載されているように、１枚のシャッタ羽根を往復回転させるように構成したものもある。
【０００３】
また、絞り装置としては、下記の特許文献４に記載されているように、２枚の絞り羽根を同時に相反する方向へ直線的に往復作動させるように構成したものがある。そのため、特許文献２に記載のシャッタ装置を変形し、このような絞り装置として構成することも可能であり、そのことは、特許文献２にも記載されている。また、レンズ口径の比較的小さいカメラに採用されている最近の絞り装置としては、特許文献１，３に記載されているように、小さい円形の開口部を有する１枚の絞り羽根を往復回転させるように構成したものが多い。
【０００４】
更に、最近のフィルタ装置としては、特許文献１に記載されているように、上記の円形の開口部を有した絞り羽根と同等の形状をしている部材に対し、その開口部の近傍位置にその開口部を覆うようにしてＮＤフィルタ板を取り付けたものをフィルタ羽根としていて、そのフィルタ羽根を往復回転させるようにしたものが多くなっている。しかしながら、ＮＤフィルタ板のみで製作したフィルタ羽根を往復回転させるようにすることも知られている。
【０００５】
このような構成をした羽根駆動装置においては、通常、各羽根部材は、二つの地板の間に構成された羽根室内に配置されている。そして、羽根部材をスムーズに作動させるための手段として、二つの地板の羽根室側の面に、レールなどと称されている所定の長さの突条を形成し、その突条に羽根部材を摺接させるように構成することが知られている。そのように構成したもののうち、上記のように２枚の絞り羽根を直線的に往復作動させるようにした絞り装置の一例が特許文献４に記載されており、また、上記のように２枚のシャッタ羽根を相対的に往復回転させるようにしたシャッタ装置の一例が下記の特許文献５に記載されている。また、１枚のシャッタ羽根と１枚のフィルタ羽根とを実質的に１枚の羽根と同様にして往復回転させるようにしたシャッタ装置の一例が下記特許文献６に記載されている。
【０００６】
また、各羽根部材を駆動するモータとしては、ムービングマグネット型モータなどといわれている電流制御式モータを用いる場合と、ステッピングモータを用いる場合が殆どであり、回転子を所定の角度範囲内でだけ往復回転させ、その回転子と一体的な出力ピンによって羽根部材を作動させるようにしている。そして、周知であるために、特許文献１，５には、概略的にしか記載されていないが、特許文献２，３，６には、上記の電流制御式モータの構成の一例が詳細に記載されている。そのうち、特許文献２に記載されているモータは、上記の出力ピンを二つ有しているものであり、特許文献３，６に記載されているモータは、出力ピンを一つだけ有しているものである。
【０００７】
このように構成されている羽根駆動装置は、最近では、低コスト化，軽量化の観点から、構成部材を可能な限り合成樹脂製にしている。そのため、地板の場合も、殆どが合成樹脂製になっている。ところが、地板には、モータや羽根部材などを取り付ける場合、所定の剛性を必要とすることから、合成樹脂製にした場合には、金属製のものに比較すると、厚さ（光軸と平行な方向の寸法）をかなり厚くせざるを得ない。他方、上記のモータは、地板の羽根室外の面に取り付けられているため、地板が厚くなると、その取付部での高さ（光軸と平行な方向の寸法）が益々高くなってしまい、カメラの設計に大きな制約を与えてしまうことになる。そこで、そのような制約を緩和するために、出願人は、地板にモータ設置用の開口部を形成し、モータの固定子の一部を地板の羽根室側の面まで挿入してしまうようにした構成を提案している。本発明は、そのような構成のカメラ用羽根駆動装置に関するものである。
【０００８】
【特許文献１】特開２００２−１３９７６５号公報
【特許文献２】特開２００２−３１５２９４号公報
【特許文献３】特開２０００−２９２８２７号公報
【特許文献４】実開平２−１４０５２７号公報
【特許文献５】特開２００２−１０７７９３号公報
【特許文献６】特開２００４−２１２５２６号公報
【発明の開示】
【発明が解決しようとする課題】
【０００９】
ところで、モータの出力ピンを羽根部材に連結させるように構成した羽根駆動装置の場合において、二つの地板の羽根室側の面に、上記のような羽根部材の摺接する所定の長さの突条を形成しようとすると、モータを取り付ける方の地板については、モータ配置箇所とは反対側の羽根室側の領域にも形成することになるのが普通となる。しかしながら、モータ取付部での装置の高さを低くするために、上記のように、その地板にモータ設置用の開口部を形成し、モータの固定子の一部を地板の羽根室側の面まで挿入してしまうように構成すると、その突条を形成する領域がなくなってしまうことになる。
【００１０】
そこで、その突条に代わるものとして、モータ設置用の開口部の近傍位置に複数の突起を形成することが考えられるが、そのような構成にすると、その突起の中には、羽根部材の作動中に一時的にしか接しないものがでてくるため、作動中に羽根部材の端面が、その突起に衝突してしまう現象が生じてしまい、羽根部材の作動が安定しなくなってしまうという問題点がある。また、そのような現象が生じないようにするために、モータ取付領域と羽根部材の作動領域が重ならないように構成することが考えられるが、そのようにすると、出力ピンを回転子の回転中心から遠くへ離した構成にしなくてはならなくなるし、地板の面積が必然的に大きくなって、全体的に装置の平面形状が大きくなってしまうという問題点がある。
【００１１】
本発明は、このような問題点を解決するためになされたものであり、その目的とするところは、モータを取り付けている地板にモータ設置用の開口部を形成し、モータの固定子の一部をその地板の羽根室側の面まで挿入させるように構成した場合において、羽根部材が、突条によって好適に往復作動を行えるようにした小型のカメラ用羽根駆動装置を提供することである。
【課題を解決するための手段】
【００１２】
上記の目的を達成するために、本発明のカメラ用羽根駆動装置は、撮影光路用開口部の近傍位置にモータ設置用開口部を有している第１地板と、前記第１地板との間に羽根室を構成している第２地板と、前記第１地板の羽根室外の面に取り付けられていて固定子枠の一部を略前記第１地板の羽根室側の面まで前記モータ設置用開口部に挿入しており回転子と一体的に所定の角度範囲で往復回転する少なくとも一つの出力ピンと該固定子枠に形成された所定数の突条とを羽根室内に臨ませているモータと、前記羽根室内に配置されていて前記出力ピンに連結されており前記回転子が回転したとき前記モータの突条に摺接して撮影光路用開口部から退いた位置と進入した位置との間で往復作動させられる少なくとも１枚の羽根部材と、を備えているようにする。
【００１３】
その場合、前記第１地板の羽根室側の面にも所定数の突条が形成されていて、その突条と対向する前記第２地板の羽根室側の面にも所定数の突条が形成されていると共に前記モータ設置用開口部と対向する面にも所定数の突条が形成されているようにしてもよい。
【００１４】
また、前記羽根部材は、前記出力ピンによって略直線的に作動させられ、前記各突条は、その作動方向に沿って略直線的に形成されているようにしてもよいし、前記出力ピンによって回転させられ、前記各突条は前記羽根部材の回転軸を中心にした円弧状に形成されているようにしてもよい。更に、前記モータは、二つの固定子枠によって永久磁石製の回転子を軸受けし、それらの軸受け部を囲むようにコイルを巻回しており、それらの固定子枠の一方を、前記第１地板に取り付けると共に前記モータ設置用開口部に挿入しているようにしても差し支えない。
【発明の効果】
【００１５】
本発明は、回転子と一体の出力ピンによって羽根部材を直接作動させるようにしたカメラ用羽根駆動装置において、モータを取り付けている地板にモータ設置用の開口部を形成し、モータの固定子の一部をその地板の羽根室側の面まで挿入させるように構成しているにもかかわらず、羽根室内に臨んでいる固定子の面に、羽根部材が摺接する所定の長さを有する所定数の突条を形成しているので、装置の小型化が可能であるのみならず、羽根部材を好適に作動させることができるという利点がある。
【発明を実施するための最良の形態】
【００１６】
本発明の実施の形態を、二つの実施例によって説明する。尚、本発明のカメラ用羽根駆動装置は、銀塩フィルムカメラにもデジタルカメラ（情報端末機器用カメラやビデオカメラを含む）にも採用することが可能である。また、本発明のカメラ用羽根駆動装置は、単体のシャッタ装置，絞り装置，フィルタ装置として構成してもよいし、それらの二つ以上を一つのユニットとして構成しても構わない。更に、上記したように、羽根部材は、１枚であっても２枚であってもよく、また、直線的に作動するものであっても回転するものであっても差し支えない。しかしながら、それらの態様の全てを説明する必要はないと考えるので、実施例１では、２枚の羽根を相対的且つ直線的に作動させるようにしたビデオカメラ用の絞り装置について説明し、実施例２では、２枚の羽根を相対的に回転させるようにしたデジタルスチルカメラ用のシャッタ装置について説明することにし、その他の態様については、随時、言及することにする。
【実施例１】
【００１７】
図１〜図３を用いて実施例１を説明する。上記のように、本実施例は、ビデオカメラ用の絞り装置として構成したものであり、図１は、その絞り装置の断面図である。また、図２及び図３は、図１の下方から羽根室内を見た平面図であって、図２は、２枚の絞り羽根が撮影光路用の開口部を閉じている状態を示したものであり、図３は、２枚の絞り羽根が撮影光路用の開口部を全開にしている状態を示したものである。尚、図１の断面図は、図２のモータ設置部近傍を切断して示したものであるが、主に各部材の重なり関係が理解し易いようにして示したものである。また、図２及び図３は、羽根室内の構成を分かり易くするために、第１地板との間に羽根室を構成している第２地板の外形を二点鎖線で示してある。
【００１８】
そこで、先ず、本実施例の構成を説明する。第１地板１は、合成樹脂製であって、図１から分かるように、後述のモータなどを取り付けたり、カメラ本体への取付部（図示せず）を有する部材であることから、比較的厚さの厚い部材にしてある。この第１地板１の平面形状は、図２に示されているような形状をしており、その略中央部に、円形をした撮影光路用の開口部１ａを形成している。また、その開口部１ａの上方位置には、モータ設置用の開口部１ｂが形成されているが、この開口部１ｂは、本実施例の場合、中央の円形部から左右に羽を広げたような形状であって、あたかも蝶ネクタイの結び目のような形状をしている。
【００１９】
第１地板１との間に羽根室を構成している第２地板２は、第１地板１と同様に合成樹脂製であるが、主に、羽根室を覆う役目と、後述する突条を形成しているだけであるため、全体として第１地板１よりもかなり薄い部材となっている。そのため、本実施例の態様であれば、金属製にすることも考えられる。この第２地板２は、図２において二点鎖線で示してあるように、その外形は、第１地板１と略同じであって、その略中央部に形成された円形の開口部２ａは、上記の開口部１ａよりも直径が大きい。また、この第２地板２には、円弧状をした二つの長孔２ｂ，２ｃが形成されている。更に、このほかにも、図示していない円形状をした三つの孔が形成されているが、そのことについては後述する。
【００２０】
そこで、このような第２地板２の取付構成を説明する。第１地板１の外周部には、その全周にわたって城壁のように壁１ｃが形成されている。また、その外側には、可撓性を有する二つのフック部１ｄ，１ｅが設けられている。他方、第１地板１の羽根室外の面に取り付けられている後述の第２固定子枠４にも可撓性を有するフック部４ａが設けられている。そして、第２地板２は、その外周部を第１地板１の壁１ｃの頂面に載置され、上記の三つのフック部１ｄ，１ｅ，４ａによって掛け止めされている。
【００２１】
次に、本実施例のモータの構成と、第１地板１への取付構成を説明する。モータの固定子は、図１に示されているように、合成樹脂製の第１固定子枠３と、合成樹脂製の第２固定子枠４と、コイル５，６と、ヨーク７とで構成されており、第１地板１に対しては、第２固定子枠４に設けられている上記のフック部４ａを、第１地板１を挟んで第２地板２に掛けた後、ビス８によって第１地板１に螺着されている。第１固定子枠３はコップ伏をしていて、その開放端を第２固定子枠４で塞ぎ、その両者に図面上では区別して示されていない二つのコイル５，６を巻回した後、第１固定子枠３の外側に、円筒形をしたヨーク７を嵌合させている。そして、第２地板２の羽根室側の面には、二つの突条４ｂ，４ｃが、同じ高さで平行に形成されている。
【００２２】
モータの回転子９は、第１固定子枠３に収容されていて、第１固定子枠３と第２固定子枠４によって軸受けされている。そのため、二つのコイル５，６は、それらの軸受け部を囲むようにして巻回されていることになる。この回転子９は、永久磁石製の回転子であるが、回転軸９ａが合成樹脂製となっていて、その回転軸９ａの下端に近いところから相反する径方向に延伸している二つのアーム９ｂ，９ｃの先端には、回転軸９ａと平行になるようにして出力ピン９ｄ，９ｅが形成されている。尚、この種のモータには、回転軸９ａ、アーム９ｂ，９ｃ、出力ピン９ｄ，９ｅを含め、回転子９の全体を、永久磁石製としたものも知られている。
【００２３】
そして、第１地板１のモータ設置用の開口部１ｂには、第２固定子枠４の一部が、略第１地板１の羽根室側の面まで挿入されている。また、回転子９のアーム９ｂ，９ｃも、その開口部１ｂに挿入されていて、出力ピン９ｄ，９ｅを羽根室内に臨ませている。この種の構成のモータは、コイル５，６の巻回構成から、他の構成のモータよりも、どうしても、図１における上下寸法（光軸と平行な方向の寸法）が大きくなってしまうが、本実施例の場合には、このように設置しているので、ユニット全体としては、その上下寸法が小さくなっている。尚、本実施例の場合には、回転子９のアーム９ｂ，９ｃが、開口部１ｂに挿入されているが、モータの構成によっては、特許文献２に記載されている構成のように、第１地板１の上方へ配置されることもある。そのため、そのような構成にした場合には、本実施例のような一連の大きな開口部１ｂとすることなく、第２固定子枠４を挿入する開口部と、出力ピン９ｄ，９ｅを挿入する円弧状の長孔とを別々に形成してもよいことになる。
【００２４】
次に、羽根室内の構成を説明する。第１地板１の羽根室側の面には、三つのガイドピン１ｆ，１ｇ，１ｈが立設されていて、それらの先端を、第２地板２に形成された符号を付けていない三つの円形の孔に嵌合させている。更に、第１地板１の羽根室側の面には、羽根室内に臨まされた上記の二つの突条４ｂ，４ｃと同様に、二つの突条１ｉ，１ｊが、相互に同じ高さで平行に形成されている。また、第２地板２の羽根室側の面には、上記の突条４ｂ，４ｃと対向するところに、所定の長さをした二つの突条２ｄ，２ｅ（図１参照）が、相互に同じ高さで平行に形成されており、上記の突条１ｉ，１ｊと対向するところに、所定の長さをした図示していない二つの突条が、相互に同じ高さで平行に形成されている。尚、突条の羽根室内での高さは、周知のように、突条４ｂ，４ｃよりも突条１ｉ，１ｊの方が、後述の絞り羽根の略１枚の厚さ分だけ高く形成されている。また、同様に、突条１ｉ，１ｊに対向して第２地板２に形成されている二つの突条よりも突条２ｄ，２ｅの方が高く形成されている。更に、本実施例の場合には、突条を二つずつ形成しているが、三つずつ以上であってもよいし、場合によっては一つでもよい場合がある。また、第１地板１側の突条と第２地板２側の突条とで、長さや数を一致させる必要もない。
【００２５】
羽根室内には、Ｕ字形をした２枚の絞り羽根１０，１１が、向きを逆にして重ねて配置されている。そして、第１地板１側に配置されている絞り羽根１０は、略中央に開口規制縁１０ａを形成し、その両側に直線状の二つの長孔１０ｂ，１０ｃを相互に平行に形成しており、長孔１０ｃの右上方位置には、その長孔１０ｃの長さ方向に垂直となるようにして長孔１０ｄが形成されている。そして、長孔１０ｂには上記のガイドピン１ｆが挿入され、長孔１０ｃには上記のガイドピン１ｇ，１ｈが挿入されている。また、長孔１０ｄには回転子９と一体の出力ピン９ｄが挿入されており、その出力ピン９ｄの先端は、第２地板２の円弧状の長孔２ｂに挿入されている。
【００２６】
他方、第２地板２側に配置されている絞り羽根１１は、略中央に開口規制縁１１ａを形成し、その両側に直線状の二つの長孔１１ｂ，１１ｃを相互に平行に形成しており、長孔１１ｂの上方位置には、その長孔１１ｂの長さ方向に直交するようにして長孔１１ｄが形成されている。そして、長孔１１ｂには上記のガイドピン１ｆが挿入され、長孔１１ｃには上記のガイドピン１ｇ，１ｈが挿入されている。また、長孔１１ｄには回転子９と一体の出力ピン９ｅが挿入されており、その出力ピン９ｅの先端は、第２地板２の円弧状の長孔２ｃに挿入されている。
【００２７】
次に、本実施例の作動を説明する。本実施例の絞り装置は、上記したように、ビデオカメラに採用されるものであって、図２は撮影前の状態を示している。このとき、撮影光路用の開口部１ａは２枚の絞り羽根１０，１１によって閉鎖されている。そのため、撮影レンズに入射した光は、固体撮像素子には届かないようにされており、それによって、固体撮像素子の性能の劣化が防止されるようになっている。他方、このとき、モータのコイル５，６には通電されていないが、回転子９は、図示していない周知の手段によって、この静止状態を維持されるようになっている。
【００２８】
撮影に先立って、カメラの電源スイッチをオンにすると、測光装置の測定結果に応じてモータのコイル５，６に対して、相互に逆方向への電流が供給される。即ち、図２においては、回転子９が明示されていないが、一方のコイル５には、図２において回転子９を反時計方向へ回転させる力の生じる方向へ電流が供給され、他方のコイル６には、逆に、回転子９を時計方向へ回転させる力の生じる方向へ電流が供給されるようになっている。そして、当初は、当然のことながら、コイル５に供給する電流の方が大きいため、回転子９は反時計方向へ回転させられるが、それらの電流は、図示していないサーボ回路を介して平衡させられていく。
【００２９】
このように、図２において、回転子９が反時計方向へ回転させられていくと、絞り羽根１０は、出力ピン９ｄによって上方へ作動させられるが、その作動は、ガイドピン１ｆ，１ｇ，１ｈに案内され、且つ第２固定子枠４の突条４ｂ，４ｃと第２地板２の突条２ｄ，２ｅとに摺接して、直線的に行われる。他方、もう一方の絞り羽根１１は、出力ピン９ｅによって下方へ作動させられるが、その作動は、ガイドピン１ｆ，１ｇ，１ｈに案内され、且つ第１地板１の突条１ｉ，１ｊと第２地板２の図示していない二つの突条とに摺接して、直線的に行われる。そして、コイル５，６に供給される電流が平衡状態になると、回転子９は停止し、２枚の絞り羽根１０，１１の開口規制縁１０ａ，１１ａによって絞り開口が決まり撮影が行われる。
【００３０】
また、ビデオカメラの場合には、撮影中に被写界光の強さが変化してしまうのが普通である。そのため、被写界光が弱くなった場合には、回転子９を、反時計方向へ回転させて絞り開口を大きくし、強くなった場合には、時計方向へ回転させて絞り開口を小さくするというように、絞り羽根１０，１１は、その都度、作動をし続けることになるが、その作動は、常に、第１地板１，第２地板２，第２固定子枠４に形成された突条に摺接して行われ、細かい動きであってもスムーズに行われるようになっている。図３には、そのようにして、開口部１ａを全開にしたときの最大絞り口径の制御状態を示してある。
【００３１】
そして、撮影が終了し、カメラの電源スイッチがオフになると、遅延回路によって、モータの駆動回路は所定の時間だけ働くようになっており、その間に、回転子９は、時計方向へ回転され、絞り羽根１０，１１を図２の状態に復帰させて静止する。尚、このように、本実施例の場合には、カメラの電源スイッチをオフにしたときには、開口１ａを必ず閉じるようにしているが、カメラの仕様によっては、そのようにしない場合のあることは言うまでもない。
【００３２】
上記においては、本実施例の絞り装置が、ビデオカメラ用の絞り装置であることを前提にして説明した。しかしながら、本実施例の構成は、その一部を変形することによって、他の羽根駆動装置とすることも可能である。そのため、ここで、それらの羽根駆動装置について説明しておく。先ず、本実施例では二つのコイル５，６を備えているが、それらを一つにし、絞り羽根１０，１１の形状を変えずに、そのままシャッタ羽根とする。そして、図２に示された開口部１ａの閉じ状態を初期状態とし、そのコイルに対して一方方向へ電流を供給したときには、回転子９が反時計方向へ回転して図３に示した全開状態になり、その後、コイルに対して反対方向へ電流を供給したときに、図２の状態に復帰するようにすれば、銀塩フィルムを使用するカメラ用のシャッタ装置になる。また、それと同じ構成であっても、図３に示された開口部１ａの全開状態を初期状態とし、そのコイルに対して一方方向へ電流を供給したときには、回転子９が時計方向へ回転して図２の閉じ状態になり、その後、コイルに対して反対方向へ電流を供給したとき、図３の全開状態に復帰するようにすれば、デジタルカメラ用のシャッタ装置になる。更に、それらのシャッタ装置の場合には、絞り機能を有するようにするために、全開状態にしないで撮影を行うことの可能なシャッタ装置とすることも可能である。
【００３３】
また、そのような構成のシャッタ装置において、アーム９ｃ，出力ピン９ｅと、絞り羽根１１に相当するシャッタ羽根を省くと共に、絞り羽根１０に相当するシャッタ羽根を、図２の状態において開口部１ａを完全に閉じる形状に変形させれば、１枚のシャッタ羽根を備えたシャッタ装置とすることができ、その初期状態を閉じ状態とするか全開状態とするかによって、銀塩フィルムを使用するカメラにもデジタルカメラにも採用することが可能になる。更に、その場合の１枚のシャッタ羽根を、ＮＤフィルタ板だけで形成すれば、１枚のフィルタ羽根を備えたフィルタ装置とすることも可能になる。更にまた、その場合の１枚のシャッタ羽根を、円形の開口部を有する絞り羽根として形成すれば、１枚の絞り羽根を備えた絞り装置とすることも可能であるし、その円形の開口部をＮＤフィルタ板で覆うようにすれば、上記の構成とは異なる構成の１枚のフィルタ羽根を備えたフィルタ装置とすることが可能になる。
【実施例２】
【００３４】
次に、図４及び図５を用いて実施例２を説明する。上記したように、本実施例は、デジタルスチルカメラ用のシャッタ装置として構成したものである。そして、図４及び図５は、いずれも被写体側から見た平面図であって、図４は、２枚のシャッタ羽根が撮影光路用の開口部を閉じている状態を示したものであり、図５は、２枚のシャッタ羽根が撮影光路用の開口部を全開にしている状態を示したものである。尚、図４は、羽根室内の構成を分かり易くするために、第２地板２２の一部を破断して示している。
【００３５】
先ず、本実施例の構成を説明する。第１地板２１と第２地板２２は、いずれも合成樹脂製であって略同じ外形をしており、両者の間に羽根室を構成している。これらの地板２１，２２は、その略中央部に、円形をした撮影光路用の開口部２１ａ，２２ａを、それらが重なるように形成しており、その右側のやや上方位置には、短くて幅の広い円弧状の長孔２１ｂ，２２ｂを、それらが重なるようにして形成している。また、第１地板２１には、長孔２１ｂの上方位置に、円形をしたモータ設置用の開口部２１ｃが形成されている。そして、これらの地板２１，２２は、実施例１の場合と同様に、第１地板２１は厚い部材であり、第２地板２２は薄い部材である。また、第２地板２２は、その縁を、第１地板２１のフック部２１ｄに掛け、二つのビス２３，２４によって第１地板２１に取り付けられている。
【００３６】
本実施例のモータは、実施例１のモータのように具体的な構成を示していないが、周知の構成をしたステップモータであって、第１地板２１の羽根室外の面に、適宜な手段によって取り付けられていて、その固定子枠２５の一部は、第１地板２１の略羽根室側の面まで、上記のモータ設置用の開口部２１ｃに挿入されている。そして、その固定子枠２５の羽根室側の面には、軸２５ａと突条２５ｂが形成されていて、それらを羽根室内に臨ませている。そのうち、軸２５ａは、その先端を、第２地板２２に形成された符号を付けていない孔に挿入しており、突条２５ｂは、軸２５ａを中心にした円弧状に形成されている。また、明示されていないが、モータの回転子は、固定子枠２５に回転可能に収容されており、その回転子と一体の出力ピン２６を固定子枠２５外で、所定の回転角度内において往復回転させ得るようになっている。そして、その出力ピン２６は、第１地板２１の長孔２１ｂを貫通し、その先端を第２地板２２の長孔２２ｂに挿入している。
【００３７】
第１地板２１の羽根室側の面には、四つのストッパピン２１ｅ，２１ｆ，２１ｇ，２１ｈと一つの軸２１ｉが立設されていて、それらの先端を、第２地板２２に形成された符号を付けていない夫々の孔に嵌合させている。また、第１地板２１の羽根室側の面には、三つの突条２１ｊ，２１ｋ，２１ｍが形成されている。それらのうち、突条２１ｊは、軸２５ａを中心にした円弧状をしていて、羽根室内での高さが、上記の突条２５ｂと同じになるように形成されている。また、突条２１ｋ，２１ｍは、軸２１ｉを中心にした円弧状をしており、その高さは共に同じであるが、上記の突条２１ｊよりは、後述するシャッタ羽根の略１枚分の厚さだけ、高くなるように形成されている。
【００３８】
第２地板２２の羽根室側の面には、四つの突条２２ｃ，２２ｄ，２２ｅ，２２ｆが形成されている。それらのうち、突条２２ｃ，２２ｄは、羽根室内での高さは同じであって軸２５ａを中心にした円弧状をしており、突条２２ｃは、上記の突条２５ｂに対向するように形成され、突条２２ｄは、上記の突条２１ｊに対向するように形成されている。他方、突条２２ｅ，２２ｆは、同じ高さであって軸２１ｉを中心にした円弧状をしており、突条２２ｅは、上記の突条２１ｋに対向するように形成され、突条２２ｆは、上記の突条２１ｍに対向するように形成されている。そして、突条２２ｃ，２２ｄの羽根室内での高さは、上記の突条２２ｅ，２２ｆよりもシャッタ羽根の略１枚の厚さ分だけ高くなるように形成されている。
【００３９】
羽根室内には、２枚のシャッタ羽根２７，２８が配置されている。そのうち、第１地板２１側に配置されているシャッタ羽根２７は、上記の軸２５ａに回転可能に取り付けられていて、上記の突条２５ｂ，２２ｃの間と、突条２１ｊ，２２ｄの間で、それらの突条に摺接するようになっている。また、第２地板２２側に配置されているシャッタ羽根２８は、上記の軸２１ｉに回転可能に取り付けられていて、上記の突条２１ｋ，２２ｅの間と、突条２１ｍ，２２ｆの間で、それらの突条に摺接するようになっている。そして、それらのシャッタ羽根２７，２８には長孔２７ａ，２８ａが形成されていて、その両方に上記の出力ピン２６が嵌合している。
【００４０】
次に、本実施例の作動を説明する。本実施例のシャッタ装置は、上記したように、デジタルスチルカメラに採用されるものであって、図４はカメラを使用していないときの状態を示している。本実施例は、所謂ノーマリークローズ方式といわれているシャッタ装置であって、このときには、２枚のシャッタ羽根２７，２８が撮影光路用の開口部２１ａ，２２ａを閉鎖し、固体撮像素子の性能の劣化を防止するようにしている。また、この方式を採用するカメラの場合には、光学ファインダを備える場合があるが、本実施例の場合には備えていないカメラの場合で説明する。
【００４１】
撮影をするのに先立って、カメラの電源スイッチをオンにすると、モータが起動して、図示していない回転子が、図４において、反時計方向へ回転させられ、その出力ピン２６によって、一方のシャッタ羽根２７を反時計方向へ回転させ、他方のシャッタ羽根２８を時計方向へ回転させる。シャッタ羽根２７，２８は、このとき、上記のような夫々の突条に摺接してスムーズに回転してゆき、開口部２１ａ，２２ａを全開にした後、ストッパピン２１ｇ，２１ｈに当接して停止する。図５は、その停止状態を示したものであるが、この状態のときには、固体撮像素子の受像面が被写体光にさらされているので、液晶表示装置などによって被写体像を観察することが可能になる。
【００４２】
撮影に際して、レリーズボタンを押すと、固体撮像素子に蓄積されていた電荷を放出することによって、撮影のための新たな電荷の蓄積が行われてゆき、所定の露光時間が経過すると、モータを起動させ、図示していない回転子を、図５において、時計方向へ回転させる。そのため、シャッタ羽根２７，２８は、出力ピン２６によって相反する方向へ回転させられ、開口部２１ａ，２２ａを閉鎖した後、図４に示されているように、ストッパピン２１ｅ，２１ｆに当接して停止させられる。そして、その閉鎖状態において、撮像情報が記憶装置に転送されると、モータが再度起動して、図示していない回転子を時計方向へ回転させ、シャッタ羽根２７，２８を図５の撮影待機状態に復帰させる。その後、撮影を続ける意志がなく、電源スイッチをオフにすると、モータだけは所定の時間だけ働くようになっていて、その間に、図示していない回転子を時計方向へ回転させ、シャッタ羽根２７，２８を図４の状態に復帰させるようになっている。
【００４３】
以上の説明は、本実施例のシャッタ装置をノーマリークローズ方式のシャッタ装置として作動させた場合であるが、ノーマリーオープン方式のシャッタ装置として作動させる場合には、シャッタ羽根２７，２８は、カメラの電源スイッチのオン、オフに関係なく、図５に示された状態となっていて、撮影のときだけ、その終了段階で図４の状態に作動させられ、撮像情報を記憶装置へ転送した後、図５の状態に復帰させられるだけである。また、この構成のシャッタ装置を、銀塩フィルムを使用するカメラに採用した場合には、カメラの電源スイッチのオン、オフに関係なく、シャッタ羽根２７，２８は、図４に示された状態になっていて、撮影のときだけ、図５の状態まで作動して、図４の状態に復帰することになる。尚、本実施例のように、２枚のシャッタ羽根を同時に相反する方向へ回転させるシャッタ装置の場合には、絞り機能を兼用させるために、開口部２１ａ，２２ａを全開させないで撮影できるようにする場合があるが、本発明は、そのようなシャッタ装置にも適用することが可能なことは言うまでもない。
【００４４】
また、本実施例は、同時に相反する方向へ回転させられる２枚のシャッタ羽根を備えたシャッタ装置として説明してきたが、本実施例の構成は、その一部を変形することによって、他の羽根駆動装置とすることも可能である。先ず、本実施例の２枚のシャッタ羽根を、開口規制縁を有する２枚の絞り羽根とし、所定の回転位置で停止させるようにすれば、一つ又は複数の絞り開口を制御することのできる絞り装置とすることが可能である。また、一方のシャッタ羽根を若干大きくし、他方のシャッタ羽根を省くようにすれば、１枚のシャッタ羽根を備えたシャッタ装置とすることができる。更に、その場合の１枚のシャッタ羽根を、ＮＤフィルタ板だけで形成すれば、１枚のフィルタ羽根を備えたフィルタ装置とすることも可能になる。更にまた、その場合の１枚のシャッタ羽根を、円形の開口部を有する絞り羽根として形成すれば、１枚の絞り羽根を備えた絞り装置とすることも可能であるし、その円形の開口部をＮＤフィルタ板で覆うようにすれば、上記の構成とは異なる構成の１枚のフィルタ羽根を備えたフィルタ装置とすることが可能になる。
【００４５】
尚、本実施例では、ステップモータを用いているが、実施例１で説明した電流制御式のモータを使用しても構わない。また、反対に、ステップモータを、実施例１に使用しても構わない。本発明に適用されるモータの構成は、実施例に示したものに限定されるものではなく、本発明の目的を達成することが可能であれば、どのような構成のモータであっても構わない。更に、上記の各実施例では、一つの羽根駆動装置だけをユニットとして構成しているが、本発明は、そのような構成に限定されず、例えば、シャッタ装置とフィルタ装置とを一つのユニットとして構成したものであっても構わない。
【図面の簡単な説明】
【００４６】
【図１】実施例１の絞り装置を示した断面図である。
【図２】図１の下方から羽根室内を見た平面図であって、２枚の絞り羽根が撮影光路用の開口部を閉じている状態を示したものである。
【図３】図１の下方から羽根室内を見た平面図であって、２枚の絞り羽根が撮影光路用の開口部を全開にしている状態を示したものである。
【図４】実施例２のシャッタ装置を示した平面図であって、２枚のシャッタ羽根が撮影光路用の開口部を閉じている状態を示したものである。
【図５】図４と同じ平面図であって、２枚のシャッタ羽根が撮影光路用の開口部を全開にしている状態を示したものである。
【符号の説明】
【００４７】
１，２１                        第１地板
１ａ，１ｂ，２ａ，２１ａ，２１ｃ，２２ａ  開口部
１ｃ                            壁
１ｄ，１ｅ，４ａ，２１ｄ        フック部
１ｆ，１ｇ，１ｈ                ガイドピン
１ｉ，１ｊ，２ｄ，２ｅ，４ｂ，４ｃ，２１ｊ，２１ｋ，２１ｍ，２２ｃ，２２ｄ，２２ｅ，２２ｆ，２５ｂ              突条
２，２２                        第２地板
２ｂ，２ｃ，１０ｂ，１０ｃ，１０ｄ，１１ｂ，１１ｃ，１１ｄ，２１ｂ，２２ｂ，２７ａ，２８ａ                      長孔
３                              第１固定子枠
４                              第２固定子枠
５，６                          コイル
７                              ヨーク
８,２３,２４                    ビス
９                              回転子
９ａ                            回転軸
９ｂ，９ｃ                      アーム
９ｄ，９ｅ，２６                出力ピン
１０，１１                      絞り羽根
１０ａ，１１ａ                  開口規制縁
２１ｉ，２５ａ                  軸
２１ｅ，２１ｆ，２１ｇ，２１ｈ  ストッパピン
２５                            固定子枠
２７，２８                      シャッタ羽根
【図１】
2006235058.tif 000003
【図２】
2006235058.tif 000004
【図３】
2006235058.tif 000005
【図４】
2006235058.tif 000006
【図５】
2006235058.tif 000007